(57)【要約】      （修正有）【課題】一般消費者などが簡単に切断加工等して、畳の隙間を簡易に補充することでき、結果的にコストを削減することができる畳隙間補充材を提供する。【解決手段】畳隙間補充材１は、長尺で且つ断面略矩形形状の発泡樹脂材料で構成した心材部材２と、この心材部材２の上面２１及び一側面２２を断面Ｌ字状に覆う樹脂製シートで構成した表皮材３と、を備えている。【選択図】図１
0003174198.tif 000002
【実用新案登録請求の範囲】
【請求項１】
部屋の端部に設けた端枠と畳との間に介挿される畳隙間補充材であって、
断面略矩形形状の発泡樹脂材料からなる長尺の心材部材と、
該心材部材の上面及び畳側の側面を覆う断面略Ｌ字状の樹脂製シートからなる表皮材と、
を備えることを特徴とする畳隙間補充材。
【考案の詳細な説明】
【技術分野】
【０００１】
この考案は、建物の室内に畳を敷き込んだ際に生じる隙間を補充する畳隙間補充材に関し、具体的には、一般消費者でも簡単に畳の隙間を補充することができる畳隙間補充材に関する。
【背景技術】
【０００２】
従来から、室内に畳を敷き込んだ際に生じる隙間を補充する畳隙間補充材は、様々なものが提案されている。例えば、下記特許文献１には、畳と畳の間の隙間に、弾力性のある樹脂発泡体からなる畳隙間補充材（特許文献１では幅調節材４）を介挿するものが記載されている。また、下記特許文献２には、畳の側部に、プラスチックシート等の板材で構成された畳隙間補充材（特許文献２では充填具４）を配置するものが記載されている。
【０００３】
もっとも、畳と畳の間に、畳隙間補充材を介挿等した場合には、畳隙間補充材が一部に存在することによって畳上面（室内床面）の見映えが悪化するとともに、畳と畳隙間補充材との間で弾力性の違いがあるため、畳上面の踏み心地が悪化するという問題もある。
【０００４】
そこで、室内の端部である、壁と畳の間の隙間に、畳隙間補充材を介挿させるものも知られている。例えば、下記特許文献３には、壁に設けた端枠（特許文献３では畳枠１）と畳の間に、スペーサーとカバー部材とからなる畳隙間補充材を介挿させるものが記載されている。もっとも、このスペーサーとカバー部材は、プラスチック部材で成形されており、ある程度の強度を有するもので構成されている。
【０００５】
また、特許文献にはないものの、一般に、畳の心材として使用される「畳床」を、畳隙間補充材の心材として用いて、この畳隙間補充材を、壁の端枠と畳の間の隙間に補充するものも知られている。
【先行技術文献】
【特許文献】
【０００６】
【特許文献１】特開２００６−１５２７７９号公報
【特許文献２】特開２００１−１６４７３４号公報
【特許文献３】特開２００１−２０７６２７号公報
【考案の概要】
【考案が解決しようとする課題】
【０００７】
ところで、こうした畳の間の隙間は、現実の建築物において、部屋のサイズや形状が各々で異なることから生じる。よって、隙間の幅や形状は、各々の部屋や場所によって異なり、同一の幅や形状のものが、ほとんど存在しない。
【０００８】
このため、この隙間を埋める畳隙間補充材も、個々のもので幅や形状が異なり、結果的に、オーダーメード的に特注品として構成するしかなかった。
【０００９】
ここで、特許文献３のように、壁の端枠と畳との間に介挿させる畳隙間補充材を、プラスチック部材や畳床で構成してしまうと、強度剛性が高いため、一般消費者などは、自宅などで簡単に畳隙間補充材を切断加工等することができなかった。
【００１０】
こうしたことから、結果的に畳業者等の専門家が畳隙間補充材を加工することになるため、コストが高まり畳自体を汎用品で構成したとしても、コストを十分に削減することができないという問題があった。
【００１１】
そこで、本考案は、壁の端枠と畳との間に介挿する畳隙間補充材を、一般消費者などが簡単に切断加工等して、畳の隙間を簡易に補充することでき、結果的にコストを削減することができる畳隙間補充材を提供することを目的とする。
【課題を解決するための手段】
【００１２】
この考案の畳隙間補充材は、心材を発泡樹脂材料で構成して、表皮を樹脂製シートで構成するとで、一般消費者でも、容易に切断加工できるようにしたものである。
【００１３】
具体的には、部屋の端部に設けた端枠と畳との間に介挿される畳隙間補充材であって、断面略矩形形状の発泡樹脂材料からなる長尺の心材部材と、該心材部材の上面及び畳側の側面を覆う断面略Ｌ字状の樹脂製シートからなる表皮材と、を備えることを特徴とするものである。
【００１４】
上記構成によれば、心材部材を切断容易な発泡樹脂材料で構成して、表皮材も樹脂製シートで構成しているため、一般消費者でも、畳隙間補充材をカッター等で容易に切断加工することができる。特に、やや剛性があり切断しにくい樹脂製シートを、見映えの要求される上面と畳側の側面にだけに設けているだけなので、全周を覆うものよりも、畳隙間補充材を切断加工する際に、容易に切断することができ、一般消費者などがより切断加工を行いやすくなる。
【考案の効果】
【００１５】
本考案によれば、畳隙間補充材の心材部材を切断容易な発泡樹脂材料で構成して、畳隙間補充材の表皮材も樹脂製シートで構成しているため、畳隙間補充材を一般消費者でも容易にカッター等で切断加工することができる。
【００１６】
よって、壁の端枠と畳との間に介挿される畳隙間補充材を、一般消費者などが簡単に切断加工等して、畳の隙間を簡易に補充することでき、結果的にコストを削減することができる。
【図面の簡単な説明】
【００１７】
【図１】本考案の実施形態にかかる畳隙間補充材の全体斜視図。
【図２】畳隙間補充材の端面を示す側面図。
【図３】畳隙間補充材を和室内に設置した状態を示す使用状態図。
【図４】図３のＡ−Ａ線矢視断面図。
【図５】畳隙間補充材を作業者がカッターで切断している状態を示す説明斜視図。
【考案を実施するための形態】
【００１８】
以下、図面に基づいて本考案の実施形態を詳述する。尚、以下の好ましい実施形態の説明は、本質的に例示に過ぎず、本考案、その適用物或いはその用途を制限することを意図するものではない。
【００１９】
まず、図１に基づいて、本実施形態の畳隙間補充材１の構成について説明する。
【００２０】
畳隙間補充材１は、長尺で且つ断面略矩形形状の発泡樹脂材料で構成された心材部材２と、この心材部材２の上面２１及び一側面２２を断面Ｌ字状に覆う樹脂製シートで構成された表皮材３と、を備えている。そして、この心材部材２と表皮材３は、図示しない接着手段によって一体的に接合されている。
【００２１】
前記の心材部材２は、例えば、押出法ポリスチレンフォーム等の発泡樹脂材料で成形されており、作業者Ｍ（図５参照）が人力でカッターＣ（図５参照）等で容易に切断加工できるように構成されている。心材部材２は、断面略横長の矩形形状の長尺材で形成されており、例えば、全長Ｌが約１ｍ、高さＨが約３〜５ｃｍ、幅Ｗが約７ｃｍのサイズで構成されている。
【００２２】
前記の表皮材３は、例えば、塩化ビニル樹脂組成物の床用長尺シートによって構成されており、表面には木目調の柄３１が施されている。このため、畳隙間補充材１を表皮材３側の斜め上方（矢印Ｖの方向）から見ると、木製の角材の如く見える。
【００２３】
また、表皮材３は、例えば、厚みｔが約２ｍｍ程度に設定されている。これにより、表皮材３は、容易に破れずに心材部材２を保護することができる。また、表皮材３の表面は比較的平滑に設定されており、畳などが滑りやすくなっている。
【００２４】
前記の接着手段は、例えば、表皮材３の裏面に設けた粘着面で構成されている。なお、この接着手段は、接着剤で構成して、この接着材を心材部材２の表面に塗布することで表皮材３を貼着するようにしてもよいし、心材部材２の表面又は表皮材３の裏面を加熱等して、心材部材２と表皮材３を溶着するようにしてもよい。
【００２５】
このように構成される畳隙間補充材１は、図２に示すように、上面１１と、一側面１２（図２で右側面）とを全て表皮材３で覆い、下面１３と他側面１４（図２で左側面）、それに端面１５とを、全て心材部材２を露出させた状態としている。このように構成することで、一般消費者でも、畳隙間補充材１の切断加工作業を容易に行うことができ、畳床面の見映えの悪化も防ぐことができる。
【００２６】
次に、畳隙間補充材１の使用方法及び切断加工作業について説明する。
【００２７】
初めに、汎用サイズの畳Ｔ（図３参照）を、複数枚、室内Ｒ（図３参照）に敷き込む。そのとき、室内Ｒの四方の壁ｗ（図３参照）等と、敷き込んだ畳Ｔとの間に、敢えて隙間（図示せず）ができるように、敷き込みを行う。
【００２８】
そして、その敷き込んだ畳Ｔ（図３参照）と壁ｗ（図３参照）の下部に設けた端枠ｈ（図３参照）との間に形成される隙間（図示せず）について、その幅と長さを定規等で測定する。この隙間の幅と長さに基づいて、畳隙間補充材１の切断加工を行うため、できるだけ正確に測定を行う。なお、隙間の高さについては、畳Ｔ（図３参照）の高さと同じであるため、測定するまでもなく、畳Ｔ（図３参照）とほぼ同じ高さの畳隙間補充材１を選択すれば足りる。
【００２９】
次に、図５に示すように、作業者Ｍが測定した隙間の幅と長さと合致するように、畳隙間補充材１を切断加工する。このとき、作業者Ｍは、畳隙間補充材１の上面に定規Ｓを当ててカッターＣで切込みを入れることで、切断加工作業を行う。前述のように、畳隙間補充材１の心材部材２が発泡樹脂材料で、表皮材３が樹脂製シートで構成されているため、作業者Ｍは人力でも容易に切断加工を行うことができる。特に、表皮材３が心材部材２の全周を覆うのではなく、上面２１と一側面２２だけを覆うように設けられているため、比較的容易に切断加工を行うことができる。
【００３０】
こうして、切断加工が終わると、この畳隙間補充材１を壁ｗ（図３参照）の下部に設けた端枠ｈ（図３参照）に沿わせて床面Ｆ（図４参照）上に設置する。このとき、切断加工面である他側面１４が端枠ｈに当接するように設置し、表皮材３で覆われている一側面１２が室内Ｒ内方側（図４の右側）を向くように設置する。
【００３１】
そして、その後に、畳隙間補充材１の室内Ｒ内方側に、畳Ｔが位置するように畳Ｔを敷き込む。こうすることで、畳Ｔと端枠ｈの間に、隙間とサイズが合致した畳隙間補充材１が介挿された状態になり、畳Ｔと端枠ｈの間の隙間を完全になくすことができる（図４参照）。
【００３２】
こうして、この畳隙間補充材１は、各隙間に対応するように、その形状をあらゆるサイズに切断加工等することで、あらゆる畳Ｔと端枠ｈの間に介挿することができる。
【００３３】
そして、畳隙間補充材１が畳Ｔと端枠ｈの間に介挿されることにより、図３に示すような使用状態となる。
【００３４】
図３では、畳隙間補充材１を２本使うことで、畳Ｔと端枠ｈの間の隙間をなくしている。まず、１本の畳隙間補充材１Ａは、端枠ｈである敷居ｈｋと畳Ｔとの間に介挿されている。具体的には、襖Ｐの案内溝ｇを形成した敷居ｈｋの内側に、敷居ｈｋに沿うように長手方向に延びて、畳Ｔの縁Ｔａと敷居ｈｋとの間の隙間を埋めるように設置されている。
【００３５】
もう１本の畳隙間補充材１Ｂは、端枠ｈである畳寄せｈｙと畳Ｔの間に介挿されている。具体的には、敷居ｈｋと直交方向に延びる壁ｗの下部に設けた木製の畳寄せｈｙの内側に、畳寄せｈｙに沿うように長手方向に延びて、畳Ｔの畳表Ｔｂと畳寄せｈｙとの間の隙間を埋めるように設置されている。
【００３６】
そして、この畳隙間補充材１では、壁ｗに上下方向に延びるように設けられた柱Ｑを避けるように、畳寄せｈｙ側にカギ凹部１６を形成している。このようにカギ凹部１６を形成することも、畳隙間補充材１を簡単に切断加工することができるため、容易に行うことができる。
【００３７】
図４に示すように、畳隙間補充材１は、壁ｗの室内Ｒ内方側に設けた畳寄せｈｙの内側に当接して、床板Ｆの上に載置されている。そして、その畳隙間補充材１の室内Ｒ内方側に畳Ｔが配置されている。
【００３８】
そして、畳隙間補充材１の高さＪが、畳隙間補充材１の上面１１を畳Ｔの上面Ｔｃとほぼ一致するように設定（選択）されているため、畳隙間補充材１を目立たせることなく、畳寄せｈｙと畳Ｔの間に介挿させることができる。
【００３９】
特に、表皮材３は、上面１１から一側面１２（畳当接面）に亘って１枚で断面略Ｌ字形状に設けられているため、畳隙間補充材１を室内Ｒ内方側から見た際に、切れ目や心材部材２を全く見えないようにでき、見映えの悪化を防ぐことができる。
【００４０】
また、二点鎖線で示すように、畳Ｔを敷き込む場合にも、表皮材３の表面が平滑であるため、畳Ｔを滑らせて、敷き込みやすくなっている。
【００４１】
一方、畳隙間補充材１の他側面１４（端枠当接面）と下面１３については、心材部材２がそのまま露出しているため、比較的滑り難い状態となっている。このため、畳隙間補充材１を床面Ｆに載置した状態で、横ズレの発生等を抑えることができ、畳Ｔを敷き込む際に畳隙間補充材１を安定してその位置に位置させることができる。なお、さらに安定感を増すために、両面テープ等（図示せず）を利用して、畳隙間補充材１を床面Ｆに貼着固定するようにしてもよい。
【００４２】
以上のように、本実施形態では、畳隙間補充材１の心材部材２を切断容易な発泡樹脂材料で構成して、畳隙間補充材１の表皮材３も樹脂製シートで構成しているため、畳隙間補充材１を一般消費者でも容易にカッターＣ等で切断加工することができる。
【００４３】
よって、壁ｗの端枠ｈと畳Ｔとの間に介挿する畳隙間補充材１を、一般消費者などが簡単に切断加工等して、畳Ｔの隙間を簡易に補充することでき、結果的にコストを削減することができる。
【００４４】
（その他の実施形態）
本考案は、前記実施形態に限定されず、その主要な特徴から逸脱することなく他の色々な形で実施することができる。
【００４５】
前記実施形態では、心材部材２を、例えば、押出法ポリスチレンフォームで構成したが、発泡樹脂材料で切断加工が人力でも容易に行えるものであればどのようなものであっても良い。例えば、発泡スチロールや発泡ポリプロピレン等であっても良い。
【００４６】
また、表皮材３についても、塩化ビニル樹脂組成物以外にも、柔軟性があって切断加工が容易なシート材であればどのようなものであっても良く、例えば、ゴム製シート等であっても良い。
【００４７】
このように、前述の実施形態はあらゆる点で単なる例示に過ぎず、限定的に解釈してはならない。さらに、実用新案登録請求の範囲の均等範囲に属する変形や変更は、全て本考案の範囲内のものである。
【産業上の利用可能性】
【００４８】
以上説明したように、本考案にかかる畳隙間補充材は、簡単に畳と端枠との間の隙間を補充する畳隙間補充材に有用である。
【符号の説明】
【００４９】
１        畳隙間補充材
２        心材部材
２１      上面
２２      一側面（畳側の側面）
３        表皮材
ｈ        端枠
Ｔ        畳
【図１】
0003174198.tif 000003
【図２】
0003174198.tif 000004
【図３】
0003174198.tif 000005
【図４】
0003174198.tif 000006
【図５】
0003174198.tif 000007